(57)【要約】【課題】レーザーピックアップの半径方向の移動後にウォブル信号周期検出結果が安定するまでの期間を短縮可能なウォブル信号周期の検出装置を提供する。【解決手段】レーザーピックアップが光ディスクの半径方向に移動している間、平均化回路５は、レーザーピックアップの移動期間信号の供給を受けて、動作を停止する。【選択図】　図１
2004079130.tif 000002
【特許請求の範囲】
【請求項１】
ウォブル信号を２値化する２値化回路と、
２値化された前記ウォブル信号のエッジ間隔を計測するエッジ間隔計測回路と、
前記エッジ間隔計測回路の計測結果を平均化する平均化回路と、を具備し、
レーザーピックアップが光ディスクの半径方向に移動している間、前記平均化回路の動作を停止させることを特徴とするウォブル信号周期の検出装置。
【請求項２】
ウォブル信号を２値化する２値化回路と、
２値化された前記ウォブル信号のエッジ間隔を計測するエッジ間隔計測回路と、
第１の入力端が前記エッジ間隔計測回路の出力端に接続されたスイッチと、
前記スイッチの選択子に接続された平均化回路と、を具備し、
前記スイッチの第２の入力端は、前記平均化回路の出力端に接続され、
通常動作の場合、前記スイッチの選択子は、前記第１の入力端を選択し、レーザーピックアップが光ディスクの半径方向に移動している間、前記スイッチは、前記第２の入力端を選択することを特徴とするウォブル信号周期の検出装置。
【請求項３】
ウォブル信号を２値化する２値化回路と、
２値化された前記ウォブル信号のエッジ間隔を計測するエッジ間隔計測回路と、
第１の入力端が前記エッジ間隔計測回路の出力端に接続されたスイッチと、
前記スイッチの選択子に接続された平均化回路と、を具備し、
前記スイッチの第２の入力端に、レーザーピックアップ移動後のウォブル信号周期予測値が供給され、
通常動作の場合、前記スイッチの選択子は、前記第１の入力端を選択し、レーザーピックアップが光ディスクの半径方向に移動している間、前記スイッチは、前記第２の入力端を選択することを特徴とするウォブル信号周期の検出装置。
【請求項４】
ウォブル信号を２値化する２値化回路と、
２値化された前記ウォブル信号のエッジ間隔を計測するエッジ間隔計測回路と、
前記エッジ間隔計測回路の計測結果を平均化する平均化回路と、を具備し、
通常動作の場合、前記平均化回路は通常の動作を行い、レーザーピックアップが光ディスクの半径方向に移動している間、レーザーピックアップ移動後のウォブル信号周期予測値を、前記平均化回路にプリセットさせることを特徴とするウォブル信号周期の検出装置。
【請求項５】
ウォブル信号を２値化する２値化回路と、
２値化された前記ウォブル信号のエッジ間隔を計測するエッジ間隔計測回路と、
第１の入力端が前記エッジ間隔計測回路の出力端に接続された第１のスイッチと、
前記第１のスイッチの選択子に接続された平均化回路と、
第１の入力端に、前記平均化回路の出力が供給され、第２の入力端に、レーザーピックアップ移動後のウォブル信号周期予測値が供給され、選択子が、前記第１のスイッチの第２の入力端に接続された第２のスイッチと、を具備し、
通常動作の場合、前記第１のスイッチの選択子は、自己の前記第１の入力端を選択し、レーザーピックアップが光ディスクの半径方向に短く移動している間、前記第１のスイッチの選択子は、自己の前記第２の入力端を選択し、前記第２のスイッチの選択子は、自己の前記第１の入力端を選択し、レーザーピックアップが光ディスクの半径方向に長く移動している間、前記第１のスイッチの選択子は、自己の前記第２の入力端を選択し、前記第２のスイッチの選択子は、自己の前記第２の入力端を選択することを特徴とするウォブル信号周期の検出装置。
【発明の詳細な説明】
【０００１】
【発明の属する技術分野】
本発明は、光ディスク記録再生装置に関し、特にウォブル信号周期の検出装置に関する。
【０００２】
【従来の技術】
ＣＤ−Ｒ，ＣＤ−ＲＷやＤＶＤ−Ｒ，ＤＶＤ−ＲＷなどの光ディスク（以下、単にディスクという）には、グルーブ（ｇｒｏｏｖｅ）と呼ばれる記録ガイドの溝が設けられている。グルーブは半径方向に一定の規則で微小蛇行しており、これをウォブリング（ｗｏｂｂｌｉｎｇ）と呼ぶ。
【０００３】
ＣＬＶ（Ｃｏｎｓｔａｎｔ　Ｌｉｎｅａｒ　Ｖｅｌｏｃｉｔｙ；線速一定）制御方式による光ディスク記録では、記録データレート周期を一定にして、ディスク上から読み出したウォブル（Ｗｏｂｂｌｅ）信号の周期が、所望の周期になるようにディスクの回転速度を制御する。
【０００４】
また、ＣＡＶ（Ｃｏｎｓｔａｎｔ　Ａｎｇｕｌａｒ　Ｖｅｌｏｃｉｔｙ；回転角一定）制御方式によるディスク記録では、ディスク上から読み出したウォブル信号の周期と記録データレートの周期とが所望の比率になるように、記録データレートの周期を制御する。
【０００５】
このように、どちらの方式もウォブル信号の周期を検出する必要がある。
【０００６】
従来のウォブル信号周期の検出装置の構成を、図１２に示す。
【０００７】
ＣＤ−Ｒ，ＣＤ−ＲＷにおいては、ウォブル信号が記録に必要なディスク情報によって周波数変調されている。２値化回路１０１は、このウォブル信号を２値化する。
【０００８】
エッジ間隔計測回路１０３は、２値化されたウォブル信号のエッジ間隔を計測する。平均化回路１０５は、この計測結果を平均化することで、ディスクの傷や光ディスク記録再生装置の振動などによる外乱を除去すると同時に、ウォブル信号周期情報を得る。
【０００９】
ＤＶＤ−Ｒ，ＤＶＤ−ＲＷにおけるウォブル信号は単一周波数である。２値化回路１０１は、このウォブル信号を２値化する。
【００１０】
エッジ間隔計測回路１０３は、２値化されたウォブル信号のエッジ間隔を計測する。平均化回路１０５は、この計測結果を平均化することで、ディスクの傷や光ディスク記録再生装置の振動などによる外乱を除去すると同時に、ウォブル信号周期情報を得る。
【００１１】
図１３に、図１２に示したウォブル信号周期の検出装置における、記録開始までの動作を示す。
【００１２】
先ず、記録を開始するトラックから所望のトラック数遡った位置までレーザーピックアップ（ＰＵ）を半径方向に移動する。レーザーピックアップがトラックを横切るので、レーザーピックアップが移動している期間、不定なウォブル信号が入力され、ウォブル信号周期の検出結果が乱れる。
【００１３】
次に、レーザーピックアップが所望の位置に到達した時点で移動を終了する。この時レーザーピックアップの移動によって線速度が変化するため、移動後のウォブル信号周期は移動前と異なった値となるので、ウォブル信号周期の検出装置の検出結果は、不定なウォブル信号によって乱された状態から、移動後のウォブル信号周期に収束してゆく。
【００１４】
次に、レーザーピックアップが記録を開始する位置に達した時点で、ディスクに対する記録を開始する。記録を開始する時点までに、ウォブル信号周期の検出結果がディスクのウォブル信号周期に収束していないと、ディスクの線速度と記録データレートが一致しないため、ディスク上の正しい位置にデータを記録することができない。
【００１５】
【発明が解決しようとする課題】
従来の光ディスク記録再生装置では、レーザーピックアップの移動後に、図１２に示したウォブル信号周期の検出装置で得られるウォブル信号周期が、確実にディスクのウォブル信号周期に収束するまでの時間を考慮して、記録開始前のレーザーピックアップの移動位置が、記録を開始する位置から十分遡った位置になるようにしていた。
【００１６】
しかしこの方法では、レーザーピックアップの半径方向の移動から記録開始までの時間が長くなるという問題があった。
【００１７】
そこで本発明は、レーザーピックアップの光ディスクの半径方向の移動後にウォブル信号周期検出結果が安定するまでの期間を短縮可能なウォブル信号周期の検出装置を提供することを目的とする。
【００１８】
【課題を解決するための手段】
（第１の解決手段）
本発明のウォブル信号周期の検出装置は、
ウォブル信号を２値化する２値化回路と、
２値化された前記ウォブル信号のエッジ間隔を計測するエッジ間隔計測回路と、
前記エッジ間隔計測回路の計測結果を平均化する平均化回路と、を具備し、
レーザーピックアップが光ディスクの半径方向に移動している間、前記平均化回路の動作を停止させることを特徴とする。
【００１９】
（第２の解決手段）
本発明のウォブル信号周期の検出装置は、
ウォブル信号を２値化する２値化回路と、
２値化された前記ウォブル信号のエッジ間隔を計測するエッジ間隔計測回路と、
第１の入力端が前記エッジ間隔計測回路の出力端に接続されたスイッチと、
前記スイッチの選択子に接続された平均化回路と、を具備し、
前記スイッチの第２の入力端は、前記平均化回路の出力端に接続され、
通常動作の場合、前記スイッチの選択子は、前記第１の入力端を選択し、レーザーピックアップが光ディスクの半径方向に移動している間、前記スイッチは、前記第２の入力端を選択することを特徴とする。
【００２０】
（第３の解決手段）
本発明のウォブル信号周期の検出装置は、
ウォブル信号を２値化する２値化回路と、
２値化された前記ウォブル信号のエッジ間隔を計測するエッジ間隔計測回路と、
第１の入力端が前記エッジ間隔計測回路の出力端に接続されたスイッチと、
前記スイッチの選択子に接続された平均化回路と、を具備し、
前記スイッチの第２の入力端に、レーザーピックアップ移動後のウォブル信号周期予測値が供給され、
通常動作の場合、前記スイッチの選択子は、前記第１の入力端を選択し、レーザーピックアップが光ディスクの半径方向に移動している間、前記スイッチは、前記第２の入力端を選択することを特徴とする。
【００２１】
（第４の解決手段）
本発明のウォブル信号周期の検出装置は、
ウォブル信号を２値化する２値化回路と、
２値化された前記ウォブル信号のエッジ間隔を計測するエッジ間隔計測回路と、
前記エッジ間隔計測回路の計測結果を平均化する平均化回路と、を具備し、
通常動作の場合、前記平均化回路は通常の動作を行い、レーザーピックアップが光ディスクの半径方向に移動している間、レーザーピックアップ移動後のウォブル信号周期予測値を、前記平均化回路にプリセットさせることを特徴とする。
【００２２】
（第５の解決手段）
本発明のウォブル信号周期の検出装置は、
ウォブル信号を２値化する２値化回路と、
２値化された前記ウォブル信号のエッジ間隔を計測するエッジ間隔計測回路と、
第１の入力端が前記エッジ間隔計測回路の出力端に接続された第１のスイッチと、
前記第１のスイッチの選択子に接続された平均化回路と、
第１の入力端に、前記平均化回路の出力が供給され、第２の入力端に、レーザーピックアップ移動後のウォブル信号周期予測値が供給され、選択子が、前記第１のスイッチの第２の入力端に接続された第２のスイッチと、を具備し、
通常動作の場合、前記第１のスイッチの選択子は、自己の前記第１の入力端を選択し、レーザーピックアップが光ディスクの半径方向に短く移動している間、前記第１のスイッチの選択子は、自己の前記第２の入力端を選択し、前記第２のスイッチの選択子は、自己の前記第１の入力端を選択し、レーザーピックアップが光ディスクの半径方向に長く移動している間、前記第１のスイッチの選択子は、自己の前記第２の入力端を選択し、前記第２のスイッチの選択子は、自己の前記第２の入力端を選択することを特徴とする。
【００２３】
【発明の実施の形態】
（第１の実施例）
図１に、本発明のウォブル信号周期の検出装置の第１の実施例の構成を示す。
【００２４】
図２に、図１に図示したウォブル信号周期の検出装置における記録開始までの動作を示す。
【００２５】
通常動作時は、従来の技術での動作と同じ動作を行う。以下に、記述する。
【００２６】
２値化回路１は、ウォブル信号を２値化する。エッジ間隔計測回路３は、２値化されたウォブル信号のエッジ間隔を計測する。平均化回路５は、この計測結果を平均化することで、ディスクの傷や光ディスク記録再生装置の振動などによる外乱を除去すると同時に、ウォブル信号周期情報を得る。
【００２７】
レーザーピックアップがディスクの半径方向に移動している間、平均化回路５は、レーザーピックアップの移動期間信号の供給を受けて、動作を停止する。これにより、平均化回路５は、レーザーピックアップが移動前に検出したウォブル信号同期情報を保持する。
【００２８】
レーザーピックアップの移動終了後は、エッジ間隔計測回路３からの計測結果の平均化を再開する。
【００２９】
レーザーピックアップが移動している間、エッジ間隔計測回路３を動作させて得た、２値化したウォブル信号のエッジ間隔計測結果を捨てさせるか、あるいはエッジ間隔計測回路３の動作を停止しても良い。
【００３０】
本実施例によるウォブル信号周期の検出装置では、レーザーピックアップがトラックを横切る際に発生する不定なウォブル信号を平均化データとして取り込まないので、ウォブル信号周期の検出装置で検出したウォブル信号周期情報が乱れることは無い。
【００３１】
レーザーピックアップの移動距離が短い場合、線速度の変化は微小であるから、レーザーピックアップの移動位置と記録開始位置との距離を短くしても、レーザーピックアップの移動後にウォブル信号周期の検出装置で得られるウォブル信号周期が、ディスクのウォブル信号周期に収束することができる。
【００３２】
（第２の実施例）
図３に、本発明のウォブル信号周期の検出装置の第２の実施例の構成を示す。図４に、図３に図示したウォブル信号周期の検出装置における記録開始までの動作を示す。
【００３３】
本実施例では、第１の実施例と異なり、エッジ間隔計測回路３と平均化回路５の間に、スイッチ７が存在する。スイッチ７の入力端７ａは、エッジ間隔計測回路３の出力端に接続されている。スイッチ７の入力端７ｂは、平均化回路５の出力端に接続されている。
【００３４】
通常動作時は、従来の技術での動作と同じ動作を行う。以下に、記述する。
【００３５】
２値化回路１は、ウォブル信号を２値化する。エッジ間隔計測回路３は、２値化されたウォブル信号のエッジ間隔を計測する。スイッチ７の選択子７ｃは、スイッチ７の入力端７ａを選択する。平均化回路５は、エッジ間隔計測回路３からの計測結果を平均化することで、ディスクの傷や光ディスク記録再生装置の振動などによる外乱を除去すると同時に、ウォブル信号周期情報を得る。
【００３６】
レーザーピックアップがディスクの半径方向に移動している間、スイッチ７の選択子７ｃは、レーザーピックアップの移動期間信号の供給を受けて、スイッチ７の入力端７ｂを選択する。これにより、平均化回路５は、レーザーピックアップが移動前に検出したウォブル信号同期情報を保持する。
【００３７】
レーザーピックアップの移動終了後は、エッジ間隔計測回路３からの計測結果の平均化を再開する。
【００３８】
レーザーピックアップが移動している間、エッジ間隔計測回路３を動作させて得た、２値化したウォブル信号のエッジ間隔計測結果を捨てさせるか、あるいはエッジ間隔計測回路３の動作を停止しても良い。
【００３９】
本実施例によるウォブル信号周期の検出装置では、レーザーピックアップがトラックを横切る際に発生する不定なウォブル信号を平均化データとして取り込まないので、ウォブル信号周期情報が乱れることは無い。
【００４０】
レーザーピックアップの移動距離が短い場合、線速度の変化は微小であるから、レーザーピックアップの移動位置と記録開始位置との距離を短くしても、レーザーピックアップの移動後にウォブル信号周期の検出装置で得られるウォブル信号周期が、ディスクのウォブル信号周期に収束することができる。
【００４１】
（第３の実施例）
図５に、本発明のウォブル信号周期の検出装置の第３の実施例の構成を示す。図６に、図５に図示したウォブル信号周期の検出装置における記録開始までの動作を示す。
【００４２】
本実施例は、第２の実施例と異なり、スイッチ７の入力端７ｂに、レーザーピックアップ移動後のウォブル信号周期予測値を供給する。
【００４３】
通常動作時は、従来の技術での動作と同じ動作を行う。以下に、記述する。
【００４４】
２値化回路１は、ウォブル信号を２値化する。エッジ間隔計測回路３は、２値化されたウォブル信号のエッジ間隔を計測する。スイッチ７の選択子７ｃは、スイッチ７の入力端７ａを選択する。平均化回路５は、エッジ間隔計測回路３からの計測結果を平均化することで、ディスクの傷や光ディスク記録再生装置の振動などによる外乱を除去すると同時に、ウォブル信号周期情報を得る。
【００４５】
レーザーピックアップがディスクの半径方向に移動している間、スイッチ７の選択子７ｃは、レーザーピックアップの移動期間信号の供給を受けて、スイッチ７の入力端７ｂを選択する。これにより、平均化回路５は、レーザーピックアップ移動後のウォブル信号周期予測値を平均化する。
【００４６】
レーザーピックアップの移動終了後は、エッジ間隔計測回路３からの計測結果の平均化を再開する。
【００４７】
ＣＡＶ制御方式による光ディスク記録では、ディスクの回転周期はほぼ一定なので、レーザーピックアップのトラック位置とディスクの中心との半径からウォブル信号の周期を予測することができる。
【００４８】
このように、レーザーピックアップがディスクの半径方向に移動している間、平均化処理の入力値をウォブル信号周期の計測結果から、レーザーピックアップ移動後のウォブル信号周期の予測値に切り替え、平均化処理によるウォブル信号周期情報をレーザーピックアップ移動後のウォブル信号周期の予測値に誘導する。
【００４９】
レーザーピックアップの移動終了後は、レーザーピックアップ移動後のウォブル信号周期の予測誤差分だけウォブル信号周期情報を収束させれば良いので、収束するまでの時間を短縮することができる。
【００５０】
レーザーピックアップが移動している間、エッジ間隔計測回路３を動作させて得た、２値化したウォブル信号のエッジ間隔計測結果を捨てさせるか、あるいはエッジ間隔計測回路３の動作を停止しても良い。
【００５１】
また、レーザーピックアップがトラックを横切る際に発生する不定なウォブル信号を平均化データとして取り込まないので、ウォブル信号周期情報が乱れることは無い。
【００５２】
（第４の実施例）
図７に、本発明のウォブル信号周期の検出装置の第４の実施例の構成を示す。図８に、図７に図示したウォブル信号周期の検出装置における記録開始までの動作を示す。
【００５３】
本実施例では、平均化回路５ａにレーザーピックアップ移動後のウォブル信号周期予測値を、レーザーピックアップの半径方向移動の間プリセットする。そして、レーザーピックアップの移動の間、平均化回路５ａの出力を、強制的にそのウォブル信号周期予測値とする。
【００５４】
通常動作時は、従来の技術での動作と同じ動作を行う。以下に、記述する。
【００５５】
２値化回路１は、ウォブル信号を２値化する。エッジ間隔計測回路３は、２値化されたウォブル信号のエッジ間隔を計測する。平均化回路５ａは、この計測結果を平均化することで、ディスクの傷や光ディスク記録再生装置の振動などによる外乱を除去すると同時に、ウォブル信号周期情報を得る。
【００５６】
レーザーピックアップの移動終了後は、エッジ間隔計測回路３からの計測結果の平均化を再開する。
【００５７】
レーザーピックアップが移動している間、エッジ間隔計測回路３を動作させて得た、２値化したウォブル信号のエッジ間隔計測結果を捨てさせるか、あるいはエッジ間隔計測回路３の動作を停止しても良い。
【００５８】
ＣＡＶ制御方式による光ディスク記録では、ディスクの回転周期はほぼ一定なので、レーザーピックアップのトラック位置とディスクの中心との半径からウォブル信号の周期を予測することができる。
【００５９】
レーザーピックアップの移動終了後は、レーザーピックアップ移動後のウォブル信号周期の予測誤差分だけウォブル信号周期情報を収束させれば良いので、収束するまでの時間を短縮することができる。
【００６０】
また、レーザーピックアップがトラックを横切る際に発生する不定なウォブル信号を平均化データとして取り込まないので、ウォブル信号周期情報が乱れることは無い。
【００６１】
（第５の実施例）
図９に、本発明のウォブル信号周期の検出装置の第５の実施例の構成を示す。
【００６２】
上記実施例と異なる点のみの構成を説明する。レーザーピックアップがディスクの半径方向に移動中、スイッチ９の入力端９ａには、レーザーピックアップ移動後のウォブル信号周期予測値が供給される。また、スイッチ９の入力端９ｂには、平均化回路の出力が供給される。
【００６３】
レーザーピックアップの移動距離が短い場合には、それに応じたレーザーピックアップの移動距離判定結果を受けて、スイッチ９の選択子９ｃは、入力端９ｂを選択する。レーザーピックアップの移動距離が長い場合には、それに応じたレーザーピックアップの移動距離判定結果を受けて、スイッチ９の選択子９ｃは、入力端９ａを選択する。
【００６４】
スイッチ９の出力は、スイッチ７の入力端７ｂに供給される。スイッチ７の入力端７ａは、エッジ間隔計測回路３の出力端に接続されている。
【００６５】
スイッチ７の選択子７ｃは、レーザーピックアップの半径方法の移動を示すレーザーピックアップの移動期間信号を受けている間は、入力端７ｂを選択する。
【００６６】
通常動作の場合、スイッチ７の選択子７ｃは、入力端７ａを選択する。
【００６７】
通常動作時は、従来の技術での動作と同じ動作を行う。以下に、記述する。
【００６８】
２値化回路１は、ウォブル信号を２値化する。エッジ間隔計測回路３は、２値化されたウォブル信号のエッジ間隔を計測する。スイッチ７の選択子７ｃは、スイッチ７の入力端７ａを選択する。平均化回路５は、エッジ間隔計測回路３からの計測結果を平均化することで、ディスクの傷や光ディスク記録再生装置の振動などによる外乱を除去すると同時に、ウォブル信号周期情報を得る。
【００６９】
ＣＡＶ制御方式による光ディスク記録では、ディスクの回転周期はほぼ一定なので、レーザーピックアップのトラック位置とディスクの中心との半径からウォブル信号の周期を予測することができるが、ディスクの製造誤差などにより、予測誤差が生じる。
【００７０】
図１０に、図９に図示したウォブル信号周期の検出装置における、レーザーピックアップの移動距離が短い場合の記録開始までの動作を示す。レーザーピックアップが移動している間、平均化回路５は、出力が入力となっているため、移動前に検出したウォブル信号周期情報を保持する。レーザーピックアップの移動距離が短いとき、レーザーピックアップの移動に伴う線速度の変化は微小であるから、ウォブル信号周期の検出結果が収束するまでの時間は短かい。
【００７１】
図１１に、図９に図示したウォブル信号周期の検出装置における、レーザーピックアップの移動距離が長い場合の記録開始までの動作を示す。レーザーピックアップが移動している間、平均化処理によるウォブル信号周期情報をレーザーピックアップ移動後のウォブル信号周期の予測値に誘導する。レーザーピックアップの移動終了後は、レーザーピックアップ移動後のウォブル信号周期の予測誤差分だけウォブル信号周期情報を収束させれば良いので、収束するまでの時間を短縮することができる。
【００７２】
また、どちらの場合もレーザーピックアップがトラックを横切る際に発生する不定なウォブル信号を平均化データとして取り込まないので、ウォブル信号周期情報が乱れることは無い。
【００７３】
レーザーピックアップが移動している間、エッジ間隔計測回路３を動作させて得た、２値化したウォブル信号のエッジ間隔計測結果を捨てさせるか、あるいはエッジ間隔計測回路３の動作を停止しても良い。
【００７４】
【発明の効果】
本発明のウォブル信号周期の検出装置によれば、レーザーピックアップの光ディスクの半径方向の移動後にウォブル信号周期検出結果が安定するまでの期間を短縮できる。
【００７５】
また本発明のウォブル信号周期の検出装置によれば、レーザーピックアップの光ディスクの半径方向の移動距離が大きい場合でも、レーザーピックアップ移動後にウォブル信号周期検出結果が安定するまでの期間を短縮できる。
【図面の簡単な説明】
【図１】本発明のウォブル信号周期の検出装置の第１の実施例の構成を示す図である。
【図２】図１に図示したウォブル信号周期の検出装置における記録開始までの動作を示す図である。
【図３】本発明のウォブル信号周期の検出装置の第２の実施例の構成を示す図である。
【図４】図３に図示したウォブル信号周期の検出装置における記録開始までの動作を示す図である。
【図５】本発明のウォブル信号周期の検出装置の第３の実施例の構成を示す図である。
【図６】図５に図示したウォブル信号周期の検出装置における記録開始までの動作を示す図である。
【図７】本発明のウォブル信号周期の検出装置の第４の実施例の構成を示す図である。
【図８】図７に図示したウォブル信号周期の検出装置における記録開始までの動作を示す図である。
【図９】本発明のウォブル信号周期の検出装置の第５の実施例の構成を示す図である。
【図１０】図９に図示したウォブル信号周期の検出装置における、レーザーピックアップの移動距離が短い場合の記録開始までの動作を示す図である。
【図１１】図９に図示したウォブル信号周期の検出装置における、レーザーピックアップの移動距離が長い場合の記録開始までの動作を示す図である。
【図１２】従来のウォブル信号周期の検出装置の構成を示す図である。
【図１３】図１２に図示したウォブル信号周期の検出装置における記録開始までの動作を示す図である。
【符号の説明】
１・・２値化回路、３・・エッジ間隔計測回路、５，５ａ・・平均化回路、７，９・・スイッチ。
【図１】
2004079130.tif 000003
【図２】
2004079130.tif 000004
【図３】
2004079130.tif 000005
【図４】
2004079130.tif 000006
【図５】
2004079130.tif 000007
【図６】
2004079130.tif 000008
【図７】
2004079130.tif 000009
【図８】
2004079130.tif 000010
【図９】
2004079130.tif 000011
【図１０】
2004079130.tif 000012
【図１１】
2004079130.tif 000013
【図１２】
2004079130.tif 000014
【図１３】
2004079130.tif 000015